(57)【要約】【課題】  防塵機能とトラバースシャーシの下がり過ぎ防止機能とを備えること。【解決手段】  ローダーシャーシ６が筐体１のボトムシャーシ１ｂ上に左右両基台７，８を介して固定され、ターンテーブル１４及び光ピックアップを搭載したシャーシ本体１３Ａと昇降体１３Ｂとからなるトラバースシャーシ１３がローダーシャーシ６内に配置され、昇降体１３Ｂの両端に一体突設した一対のガイド片１９がローダーシャーシ６の両側板６ａに一体突設したガイド枠２０に昇降可能に係合され、ローダーシャーシ６の下面を覆う合成樹脂製ダストカバー３５が設けられ、板金製基台７から切り出した一方のストッパ３６が一方のガイド枠２０の下端に接近して配置され、ダストカバー３５に一体成形した他方のストッパ３７が他方のガイド枠２０の下端に接近して配置されており、各ガイド片１９が各ガイド枠２０から離脱するのを両ストッパ３６，３７で阻止する。【選択図】        図２
0003130310.tif 000002
【実用新案登録請求の範囲】
【請求項１】
筐体内にディスク装置本体と磁気テープ装置とが並設され、該筐体のフロントパネルに
ディスク取出口とテープカセット取出口とがほぼ同一高さで形成され、前記ディスク装置
本体のローダーシャーシが筐体のボトムシャーシ上に左右両基台を介して固定され、該ロ
ーダーシャーシに前後進可能に支持されたディスク載置用トレイが前記ディスク取出口に
対向され、ターンテーブル及び光ピックアップを搭載したシャーシ本体と昇降体とからな
るトラバースシャーシが前記ローダーシャーシ内に配置され、前記シャーシ本体の後部が
後側弾性体を介してローダーシャーシに連結されると共に、該シャーシ本体の前部が前側
弾性体を介して前記昇降体に連結され、該昇降体の両端に一体突設した一対のガイド片が
前記ローダーシャーシの両側板に一体突設したガイド枠に昇降可能に係合され、前記ロー
ダーシャーシの前部に前後進方向とは直行する左右方向に沿ってスライド可能なカムスラ
イダにカム機構を介して前記昇降体が連動連結されており、トレイオープン時に、カムス
ライダを左右一方向にスライドさせることにより、カム機構を介して昇降体をガイド枠に
沿って下降させると共に、前側弾性体を介してシャーシ本体を下動させ、ターンテーブル
上のディスクをトレイ上に移し替え、該トレイを前進させるようにしたディスク装置にお
いて、前記ローダーシャーシの下面を覆う合成樹脂製ダストカバーが設けられ、前記両基
台のうちの一つが板金により形成され、該板金製基台から切り出した一方のストッパが前
記一方のガイド枠の下端に接近して配置され、前記ダストカバーに一体成形した他方のス
トッパが前記他方のガイド枠の下端に接近して配置されており、各ガイド片が各ガイド枠
から離脱するのを両ストッパで阻止するようにしたことを特徴とするディスク装置。
【請求項２】
筐体内にディスク装置本体が配置され、該ディスク装置本体のローダーシャーシが筐体
のボトムシャーシ上に左右両基台を介して固定され、該ローダーシャーシにディスク載置
用トレイが前後進可能に支持され、ターンテーブル及び光ピックアップを搭載したシャー
シ本体と昇降体とからなるトラバースシャーシが前記ローダーシャーシ内に配置され、前
記シャーシ本体の後部が後側弾性体を介してローダーシャーシに連結されると共に、該シ
ャーシ本体の前部が前側弾性体を介して前記昇降体に連結され、該昇降体の両端に一体突
設した一対のガイド片が前記ローダーシャーシの両側板に一体突設したガイド枠に昇降可
能に係合され、前記ローダーシャーシの前部に前後進方向とは直行する左右方向に沿って
スライド可能なカムスライダにカム機構を介して前記昇降体が連動連結されており、トレ
イオープン時に、カムスライダを左右一方向にスライドさせることにより、カム機構を介
して昇降体をガイド枠に沿って下降させると共に、前側弾性体を介してシャーシ本体を下
動させ、ターンテーブル上のディスクをトレイ上に移し替え、該トレイを前進させるよう
にしたディスク装置において、前記ローダーシャーシの下面を覆う合成樹脂製ダストカバ
ーが設けられ、各ガイド枠から各ガイド片が離脱するのを阻止する一対のストッパが該各
ガイド枠の下端に接近して設けられていることを特徴とするディスク装置。
【請求項３】
前記両ストッパのうち、その一方のストッパが板金からなる前記一方の基台から切り出
されると共に、その他方のストッパが前記ダストカバーに一体成形されていることを特徴
とする請求項２に記載のディスク装置。
【請求項４】
前記両ストッパのうち、その一方のストッパが板金からなる前記一方の基台から切り出
されると共に、その他方ストッパがダストカバーに弾性変位可能に一体突設され、その他
方のストッパが一方のストッパよりも弾性変位分だけ上方に位置決めされており、他方の
ストッパにガイド片を当てることによりその他方のストッパを弾性変位させ、その弾性変
位した他方のガイド片と一方のガイド片とで昇降体の下降を阻止するようにしたことを特
徴とする請求項請求項２に記載のディスク装置。
【請求項５】
前記両ストッパがダストカバーに一体成形されていることを特徴とする請求項２に記載
のディスク装置。
【請求項６】
前記両ストッパがダストカバーに弾性変位可能に一体突設されており、該各ストッパに
ガイド片を当てることによりその各ストッパを弾性変位させ、その弾性変位した両ストッ
パで昇降体の下降を阻止するようにしたことを特徴とする請求項請求項２に記載のディス
ク装置。
【考案の詳細な説明】
【技術分野】
【０００１】
本考案は、例えば磁気テープ装置一体型ＤＶＤレコーダなどのディスク装置に関し、特
に、防塵機能とトラバースシャーシの下がり過ぎ防止機能とを備えたものである。
【背景技術】
【０００２】
従来、ディスク装置の一例として図１０〜図１５に示すものがあり、これは磁気テープ
装置一体型ＤＶＤレコーダであって、図１０は同正面図、図１１は同一部切欠き平面図、
図１２は同拡大縦断面図、図１３は同拡大横断面図、図１４は同要部の斜視図、図１５は
同分解斜視図である。
【０００３】
図１０及び図１１に示すように、筐体１内にディスク装置本体２と磁気テープ装置３と
が並設され、該筐体１のフロントパネル１ａにディスク取出口４とテープカセット取出口
５とがほぼ同一高さｈで形成され、前記ディスク装置本体２のローダーシャーシ６が筐体
１のボトムシャーシ１ｂ上に左右両基台７，８を介して固定され、該ローダーシャーシ６
に前後進ａ，ｂ可能に支持されたディスクＤ載置用トレイ９が前記ディスク取出口４に対
向されている。なお、１０，１１は各取出口４，５にそれぞれ開閉可能に配置した開閉ド
アである。
【０００４】
図１２〜図１４に示すように、シャーシ本体１３Ａ及び合成樹脂製昇降体１３Ｂからな
るトラバースシャーシ１３がローダーシャーシ６内に配置され、前記シャーシ本体１３Ａ
の前部にターンテーブル１４付きスピンドルモータ１５が搭載されると共に、該シャーシ
本体１３Ａの後部に対物レンズＯＬ付き光ピックアップ１６が移動可能に搭載され、前記
シャーシ本体１３Ａの後部がゴムからなる後側弾性体１７を介してローダーシャーシ６に
上下動ｃ，ｄ可能に連結されると共に、該シャーシ本体１３Ａの前部がゴムからなる前側
弾性体１８を介して前記昇降体１３Ｂに連結され、該昇降体１３Ｂの両端に一体突設した
一対のガイド片１９がローダーシャーシ６の両側板６ａに一体突設したガイド枠２０に昇
降可能に係合されている。
【０００５】
図１２及び図１４に示すように、ローダーシャーシ６に前後進ａ，ｂ方向とは直行する
左右方向ｅ，ｆに沿ってスライド可能なカムスライダ２２が設けられ、該カムスライダ２
２に形成したカム溝２３ａと、昇降体１３Ｂに突設されて該カム溝２３ａに嵌入するカム
ピン２３ｂとからなるカム機構２３を介してそのカムスライダ２２と昇降体１３Ｂとが連
動連結されている。
【０００６】
図１３及び図１５に示すように、ローダーシャーシ６の両側板６ａ間に架設した横桁２
５の中央に設けたクランパ収納部２５ａ内にクランパ２６が一定範囲内昇降可能に配置さ
れており、そのクランパ２６とターンテーブル１４とでディスクＤをクランプする。
【０００７】
図１３及び図１５に示すように、ローダーシャーシ６の各側板６ａに一体突設した前後
２つ、合計４つの脚部２８の底板２８ａにビス挿通孔２９が貫設されると共に、その底板
２８ａの下面に位置決め突起部３０が一体突設され、また、一方の基台７が板金により成
形され、他方の基板８が前後２つに分けられて合成樹脂により成形され、その各基台７，
８がボトムシャーシ１ｂにビス２７により止着され、更に、各基台７，８の上面にねじ孔
３１と位置決め孔３２とが形成されており、位置決め突起部３０を各位置決め孔３２に嵌
入させて各脚部２８を各基台７，８の上面に載置した後、適当なビス挿通孔２９を通って
ねじ孔３１にビス３３をねじ込むことにより、ローダーシャーシ６が基台７，８に固定さ
れている。
【０００８】
動作原理を説明すると、図１２の実線はプレイモードを示しており、ローディング信号
に基づいてカムスライダ２２を矢印ｅ方向にスライドさせることにより、カム機構２３を
介して昇降体１３Ｂをガイド枠２０に沿って上昇させると共に、前側弾性体１８を介して
シャーシ本体１３Ａを上動ｃさせて水平姿勢にすることにより、トレイ９上のディスクＤ
をターンテーブル１４で持ち上げ、該ターンテーブル１４とクランパ２６とでディスクＤ
をクランプし、スピンドルモータ１５によりターンテーブル１４を介してディスクＤを高
速回転させ、該ディスクＤに記録されている情報を光ピックアップ１６により読み取り、
映像情報の再生または録画を行う。
【０００９】
トレイオープン時には、カムスライダ２２を矢印ｆ方向にスライドさせることにより、
カム機構２３を介して昇降体１３Ｂをガイド枠２０に沿って下降させると共に、前側弾性
体１８を介してシャーシ本体１３Ａを下動ｄさせて傾斜姿勢にすることにより（図１２仮
想線参照）、ターンテーブル１４からトレイ９上にディスクＤを受け渡し、該トレイ９を
前進ａさせ、そのトレイ９上からディスクＤを取り外したり新たなディスクＤを載置する
。なお、関連する技術として特許文献１に記載したものがある。
【特許文献１】特開２００４−２５３１３０号公報
【考案の開示】
【考案が解決しようとする課題】
【００１０】
上記従来の構成では、図１３に示すように、ディスク装置本体２を基台７，８上に載置
して嵩上げしており、そのディスク装置本体２とボトムシャーシ１ｂとの間に大きな空間
Ｒが生じているため、ディスクＤを高速回転させることにより発生した空気流Ｅが前記空
間Ｒを通ってローダーシャーシ６内に吸い込まれ、その空気流Ｅにより運ばれた塵埃が対
物レンズＯＬなどに付着して読み取りエラーが生じたり故障の原因になったりするおそれ
がある。
【００１１】
また、トレイオープン状態（図１２仮想線参照）で、筐体１に落下などの衝撃が加えら
れたときに、その衝撃でトラバースシャーシ１３が下がり過ぎて、図１３に仮想線Ｓで示
すように、昇降体１３Ｂがカムピン２３ｂを中心に回って傾き、一方のガイド片１９がガ
イド枠２０から離脱することがあり、これでは、トラバースシャーシ１３を所定通りに上
下動ｃ，ｄさせることができない。
【００１２】
本考案は、上記従来の欠点に鑑み、防塵機能とトラバースシャーシの下がり過ぎ防止機
能とを備えたディスク装置を提供することを目的としている。
【課題を解決するための手段】
【００１３】
上記目的を達成するため、請求項１に記載の考案は、筐体内にディスク装置本体と磁気
テープ装置とが並設され、該筐体のフロントパネルにディスク取出口とテープカセット取
出口とがほぼ同一高さで形成され、前記ディスク装置本体のローダーシャーシが筐体のボ
トムシャーシ上に左右両基台を介して固定され、該ローダーシャーシに前後進可能に支持
されたディスク載置用トレイが前記ディスク取出口に対向され、ターンテーブル及び光ピ
ックアップを搭載したシャーシ本体と昇降体とからなるトラバースシャーシが前記ローダ
ーシャーシ内に配置され、前記シャーシ本体の後部が後側弾性体を介してローダーシャー
シに連結されると共に、該シャーシ本体の前部が前側弾性体を介して前記昇降体に連結さ
れ、該昇降体の両端に一体突設した一対のガイド片が前記ローダーシャーシの両側板に一
体突設したガイド枠に昇降可能に係合され、前記ローダーシャーシの前部に前後進方向と
は直行する左右方向に沿ってスライド可能なカムスライダにカム機構を介して前記昇降体
が連動連結されており、トレイオープン時に、カムスライダを左右一方向にスライドさせ
ることにより、カム機構を介して昇降体をガイド枠に沿って下降させると共に、前側弾性
体を介してシャーシ本体を下動させ、ターンテーブル上のディスクをトレイ上に移し替え
、該トレイを前進させるようにしたディスク装置において、前記ローダーシャーシの下面
を覆う合成樹脂製ダストカバーが設けられ、前記両基台のうちの一つが板金により形成さ
れ、該板金製基台から切り出した一方のストッパが前記一方のガイド枠の下端に接近して
配置され、前記ダストカバーに一体成形した他方のストッパが前記他方のガイド枠の下端
に接近して配置されており、各ガイド片が各ガイド枠から離脱するのを両ストッパで阻止
するようにしたことを特徴としている。
【００１４】
請求項２に記載の考案は、筐体内にディスク装置本体が配置され、該ディスク装置本体
のローダーシャーシが筐体のボトムシャーシ上に左右両基台を介して固定され、該ローダ
ーシャーシにディスク載置用トレイが前後進可能に支持され、ターンテーブル及び光ピッ
クアップを搭載したシャーシ本体と昇降体とからなるトラバースシャーシが前記ローダー
シャーシ内に配置され、前記シャーシ本体の後部が後側弾性体を介してローダーシャーシ
に連結されると共に、該シャーシ本体の前部が前側弾性体を介して前記昇降体に連結され
、該昇降体の両端に一体突設した一対のガイド片が前記ローダーシャーシの両側板に一体
突設したガイド枠に昇降可能に係合され、前記ローダーシャーシの前部に前後進方向とは
直行する左右方向に沿ってスライド可能なカムスライダにカム機構を介して前記昇降体が
連動連結されており、トレイオープン時に、カムスライダを左右一方向にスライドさせる
ことにより、カム機構を介して昇降体をガイド枠に沿って下降させると共に、前側弾性体
を介してシャーシ本体を下動させ、ターンテーブル上のディスクをトレイ上に移し替え、
該トレイを前進させるようにしたディスク装置において、前記ローダーシャーシの下面を
覆う合成樹脂製ダストカバーが設けられ、各ガイド枠から各ガイド片が離脱するのを阻止
する一対のストッパが該各ガイド枠の下端に接近して設けられていることを特徴としてい
る。
【００１５】
請求項３に記載の考案は、請求項２に記載の考案において、前記両ストッパのうち、そ
の一方のストッパが板金からなる前記一方の基台から切り出されると共に、その他方のス
トッパが前記ダストカバーに一体成形されていることを特徴としている。
【００１６】
請求項４に記載の考案は、請求項２に記載の考案において、前記両ストッパのうち、そ
の一方のストッパが板金からなる前記一方の基台から切り出されると共に、その他方スト
ッパがダストカバーに弾性変位可能に一体突設され、その他方のストッパが一方のストッ
パよりも弾性変位分だけ上方に位置決めされており、他方のストッパにガイド片を当てる
ことによりその他方のストッパを弾性変位させ、その弾性変位した他方のガイド片と一方
のガイド片とで昇降体の下降を阻止するようにしたことを特徴としている。
【００１７】
請求項５に記載の考案は、請求項２に記載の考案において、前記両ストッパがダストカ
バーに一体成形されていることを特徴としている。
【００１８】
請求項６に記載の考案は、請求項２に記載の考案において、前記両ストッパがダストカ
バーに弾性変位可能に一体突設されており、該各ストッパにガイド片を当てることにより
その各ストッパを弾性変位させ、その弾性変位した両ストッパで昇降体の下降を阻止する
ようにしたことを特徴としている。
【考案の効果】
【００１９】
請求項１に記載の考案は第１の実施の形態（図１〜図６参照）に対応するものであって
、これによれば、ディスク装置本体を基台上に載置して嵩上げすることにより、そのディ
スク装置本体とボトムシャーシとの間に大きな空間が生じており、ディスクを高速回転さ
せることにより発生した空気流が前記空間内まで流入しても、ローダーシャーシの下面が
ダストカバーにより覆われているので、そのローダーシャーシ内に空気流が吸い込まれな
い。従って、従来のようにローダーシャーシ内に吸い込まれた空気流により運ばれた塵埃
が光ピックアップの対物レンズなどに付着して読み取りエラーが生じたり故障の原因にな
ったりする事故を確実に防止することができる。
【００２０】
また、例えばトレイオープン状態で、筐体に落下などの衝撃が加えられたときに、その
衝撃でガイド片がガイド枠から離脱しかけても、その離脱をストッパで阻止するので、ト
ラバースシャーシの下がり過ぎを確実に防止して、そのトラバースシャーシを所定通りに
円滑に上下動させることができる。
【００２１】
更に、一方のストッパが板金からなる一方の基台から切り出されてると共に、他方のス
トッパがダストカバーに一体形成されており、既存の基台とダストカバーとを利用して各
ストッパが形成されているから、コストアップにつながらず経済性に優れている。
【００２２】
請求項２に記載の考案は基本形態に対応するものであって、これによれば、ディスク装
置本体を基台上に載置して嵩上げすることにより、そのディスク装置本体とボトムシャー
シとの間に大きな空間が生じており、ディスクを高速回転させることにより発生した空気
流が前記空間内まで流入しても、ローダーシャーシの下面がダストカバーにより覆われて
いるので、そのローダーシャーシ内に空気流が吸い込まれない。従って、従来のようにロ
ーダーシャーシ内に吸い込まれた空気流により運ばれた塵埃が光ピックアップの対物レン
ズなどに付着して読み取りエラーが生じたり故障の原因になったりする事故を確実に防止
することができる。
【００２３】
また、例えばトレイオープン状態で、筐体に落下などの衝撃が加えられたときに、その
衝撃でガイド片がガイド枠から離脱しかけても、その離脱をストッパで阻止するので、ト
ラバースシャーシの下がり過ぎを確実に防止して、そのトラバースシャーシを所定通りに
円滑に上下動させることができる。
【００２４】
請求項３に記載の考案によれば、一方のストッパが板金からなる一方の基台から切り出
されてると共に、他方のストッパがダストカバーに一体形成されており、既存の基台とダ
ストカバーとを利用して各ストッパが形成されているから、コストアップにつながらず経
済性に優れている。
【００２５】
請求項４に記載の考案は第２の実施の形態（図７参照）に対応するものであって、これ
によれば、落下などの衝撃により下降したガイド片が他方のストッパに当たると、その他
方のストッパが弾性変位して衝撃を緩和することができると共に、不快な衝突音の発生を
防ぐことができ、続いて、弾性変位した他方のストッパと一方のストッパとで各ガイド片
を介して昇降体の下降を阻止し、トラバースシャーシの下がり過ぎを確実に防止すること
ができる。
【００２６】
請求項５に記載の考案は第３の実施の形態（図８参照）に対応するものであって、これ
によれば、ダストカバーを利用して両ストッパが形成されているから、コストアップにつ
ながらず経済性に優れている。
【００２７】
請求項６に記載の考案は第４の実施の形態（図９参照）に対応するものであって、これ
によれば、落下などの衝撃により下降した各ガイド片が各ストッパに当たることにより、
その各ストッパが弾性変位して衝撃を緩和することができると共に、不快な衝突音の発生
を防ぐことができ、続いて、その弾性変位した両ストッパにより各ガイド片を介して昇降
体の下降を阻止し、トラバースシャーシの下がり過ぎを確実に防止することができる。
【考案を実施するための最良の形態】
【００２８】
図１〜図６は本考案の第１の実施の形態であるディスク装置を示すものであり、これは
磁気テープ装置一体型ＤＶＤレコーダであって、図１は同拡大縦断面図、図２は同拡大横
断面図、図３は同分解斜視図、図４は同ダストカバーの斜視図、図５は同ダストカバーの
固定状態を示す要部の拡大縦断面図、図６（ａ）はトラバースシャーシの下がり過ぎ防止
機能を示す要部の拡大横断面図、図６（ｂ）はＡ−Ａ矢視図である。
【００２９】
図１〜図４に示すように、ローダーシャーシ６の下面を覆う合成樹脂製ダストカバー３
５が設けられ、各ガイド枠２０から各ガイド片１９が離脱するのを阻止する一対のストッ
パ３６，３７が該各ガイド枠２０の下端に接近して設けられている。上記以外の構成は図
１０〜図１５に示す構成とほぼ同じであるから、同一部分に同一符号を付してその説明を
省略する。
【００３０】
図４に示すように、前記ダストカバー３５は、ローダーシャーシ６とほぼ同一平面形状
の底板３５ａと、該底板３５ａの前後左右側縁から直角に立ち上がる前後両端板３５ｂ，
３５ｃ及び左右両側板３５ｄ，３５ｅとを有し、該各側板３５ｄ，３５ｅの前後両端にそ
れぞれ基台載置板３５Ａが一体突設され、該各基台載置板３５Ａに各基台７，８の各ねじ
孔３１に対向するビス挿通孔３８と各位置決め孔３２に対向する中間孔３９とが貫設され
、適当な複数（この実施の形態では２つ）の基台載置板３５Ａに弾性変位可能なＵ字板４
０が一体突設されている。
【００３１】
ダストカバー３５の取付手順を説明すると、該ダストカバー３５をローダーシャーシ６
の下面に押し付けることにより、各Ｕ字板４０を弾性変位させて、該Ｕ字板４０の先端を
各脚部２８の底板２８ａの上面に当接させると共に、各位置決め突起部３０を各中間孔３
９に嵌入させ、これにより、各Ｕ字板４０と各基台載置板３５Ａとで各底板２８ａを挟持
し、ダストカバー３５をローダーシャーシ６の下面に仮止めする（図３及び図５参照）。
その後、各基台載置板３５Ａを各基台７，８の上面に載置すると共に、各位置決め突起部
３０を各位置決め孔３２に嵌入させ、各ビス挿通孔２９，３８を通って各ねじ孔３１にビ
ス３３をねじ込むことにより（図５参照）、そのダストカバー３５及びローダーシャーシ
６を各基台７，８に固定する（図１及び図２参照）。
【００３２】
上記構成によれば、図２に示すように、ディスク装置本体２を基台７，８上に載置して
嵩上げすることにより、そのディスク装置本体２とボトムシャーシ１ｂとの間に大きな空
間Ｒが生じており、ディスクＤを高速回転させることにより発生した空気流Ｅが前記空間
Ｒに流入しても、ローダーシャーシ６の下面がダストカバー３５により覆われているので
、そのローダーシャーシ６内に空気流Ｅが吸い込まれない。従って、従来のようにローダ
ーシャーシ６内に吸い込まれた空気流Ｅにより運ばれた塵埃が光ピックアップ１６の対物
レンズＯＬなどに付着して読み取りエラーが生じたり故障の原因になったりする事故を確
実に防止することができる。
【００３３】
図６（ａ）に示すように、一方のストッパ３６は、板金からなる一方の基台７の側板部
から切り出されて水平に延びる舌片からなり、その一方のストッパ３６がダストカバー３
５の開口部３５ｆを通って該ダストカバー３５内に挿入され、その一方のストッパ３６の
上面から対向するガイド枠２０の下端までの間隔ｔ１がガイド片１９の高さｋよりも大き
く設定されている。
【００３４】
図６（ａ）（ｂ）に示すように、他方のストッパ３７は、ダストカバー３５の底板３５
ａから一方の側板３５ｅにかけて一体成形した横断面略コ字の箱状枠からなり、その他方
のストッパ３７の上面から対向するガイド枠２０の下端までの間隔ｔ２がガイド片１９の
高さｋよりも大きく設定されている。
【００３５】
上記構成によれば、例えばトレイオープン状態（図１仮想線参照）で、筐体１に落下な
どの衝撃が加えられたときに、その衝撃でガイド片１９がガイド枠２０から離脱しかけて
も、その離脱をストッパ３６，３７で阻止するので（図６仮想線参照）、トラバースシャ
ーシ１３の下がり過ぎを確実に防止して、そのトラバースシャーシ１３を所定通りに円滑
に上下動ｃ，ｄさせることができる。
【００３６】
また、既存の基台７とダストカバー３５とを利用して各ストッパ３６，３７が形成され
ているから、コストアップにつながらず経済性に優れている。
【００３７】
図７は本考案の第２の実施の形態であるディスク装置を示すものであり、図７（ａ）は
トラバースシャーシの下がり過ぎ防止機能を示す要部の拡大横断面図、図７（ｂ）はＢ−
Ｂ矢視図、図７（ｃ）は下がり過ぎ防止状態を示す要部の拡大横断面図である。
【００３８】
図７（ａ）に示すように、一方のストッパ３６は、第１の実施の形態（図６参照）と同
じであるから、その説明を省略する。
【００３９】
他方のストッパ３７は、ダストカバー３５の一方の側板３５ｅから水平に延びる弾性変
位可能な舌片からなり、その他方のストッパ３７が一方のストッパ３６よりも弾性変位分
αだけ上方に位置決めされている。上記以外の構成は第１の実施の形態（図１〜図６参照
）とほぼ同じであるから、同一部分に同一符号を付してその説明を省略する。
【００４０】
上記構成によれば、図７（ｃ）に示すように、落下などの衝撃により下降したガイド片
１９が他方のストッパ３７に当たると、その他方のストッパ３７が弾性変位して衝撃を緩
和することができると共に、不快な衝突音の発生を防ぐことができ、続いて、弾性変位し
た他方のストッパ３７と一方のストッパ３６とで各ガイド片１９を介して昇降体１３Ｂの
下降を阻止し、トラバースシャーシ１３の下がり過ぎを確実に防止することができる。
【００４１】
図８は本考案の第３の実施の形態であるディスク装置におけるトラバースシャーシの下
がり過ぎ防止機能を示す要部の拡大横断面図である。
【００４２】
図８に示すように、両ストッパ３６，３７は、ダストカバー３５の底板３５ａから各側
板３５ｄ，３５ｅにかけて一体成形した横断面略コ字の箱状枠からなっており、第１の実
施の形態〔図６（ａ）（ｂ）参照〕の一方のストッパ３６と同じ構造である。上記以外の
構成は第１の実施の形態（図１〜図６参照）とほぼ同じであるから、同一部分に同一符号
を付してその説明を省略する。
【００４３】
上記構成によれば、ダストカバー３５を利用して両ストッパ３６，３７が形成されてい
るから、コストアップにつながらず経済性に優れている。
【００４４】
図９は本考案の第４の実施の形態であるディスク装置におけるトラバースシャーシの下
がり過ぎ防止機能を示す要部の拡大横断面図である。
【００４５】
図９に示すように、両ストッパ３６，３７は、ダストカバー３５の各側板３５ｄ，３５
ｅから水平に延びる弾性変位可能な舌片からなっており、第２の実施の形態〔図７（ａ）
〜（ｃ）参照〕の他方のストッパ３７と同じ構造である。上記以外の構成は第１の実施の
形態（図１〜図６参照）とほぼ同じであるから、同一部分に同一符号を付してその説明を
省略する。
【００４６】
上記構成によれば、落下などの衝撃により下降した各ガイド片１９が各ストッパ３６，
３７に当たることにより（図９仮想線参照）、その各ストッパ３６，３７が弾性変位して
衝撃を緩和することができると共に、不快な衝突音の発生を防ぐことができ、続いて、そ
の弾性変位した両ストッパ３６，３７により各ガイド片１９を介して昇降体１３Ｂの下降
を阻止し、トラバースシャーシ１３の下がり過ぎを確実に防止することができる。
【産業上の利用可能性】
【００４７】
上記の実施の形態では、磁気テープ装置一体型ＤＶＤレコーダを例にあげて説明したが
、これに限定されるわけではなく、単体のディスク装置（ＤＶＤレコーダ、ＤＶＤプレー
ヤ）にも適用される。
【図面の簡単な説明】
【００４８】
【図１】本考案の第１の実施の形態であるディスク装置における拡大縦断面図である。
【図２】同拡大横断面図である。
【図３】同分解斜視図である。
【図４】同ダストカバーの斜視図である。
【図５】同ダストカバーの固定状態を示す要部の拡大縦断面図である。
【図６】（ａ）はトラバースシャーシの下がり過ぎ防止機能を示す要部の拡大横断面図、（ｂ）はＡ−Ａ矢視図である。
【図７】（ａ）は本考案の第２の実施の形態であるディスク装置におけるトラバースシャーシの下がり過ぎ防止機能を示す要部の拡大横断面図、（ｂ）はＢ−Ｂ矢視図、（ｃ）は下がり過ぎ防止状態を示す要部の拡大横断面図である。
【図８】本考案の第３の実施の形態であるディスク装置におけるトラバースシャーシの下がり過ぎ防止機能を示す要部の拡大横断面図である。
【図９】本考案の第４の実施の形態であるディスク装置におけるトラバースシャーシの下がり過ぎ防止機能を示す要部の拡大横断面図である。
【図１０】従来例を示す正面図である。
【図１１】同一部切欠き平面図である。
【図１２】同拡大縦断面図である。
【図１３】同拡大横断面図である。
【図１４】同要部の斜視図である。
【図１５】同分解斜視図である。
【符号の説明】
【００４９】
１            筐体
１ａ          フロントパネル
１ｂ          ボトムシャーシ
２            ディスク装置本体
３            磁気テープ装置
４            ディスク取出口
５            テープカセット取出口
６            ローダーシャーシ
６ａ          ローダーシャーシの側板
７，８        基台
９            トレイ
１３          トラバースシャーシ
１３Ａ        トラバースシャーシのシャーシ本体
１３Ｂ        トラバースシャーシの昇降体
１４          ターンテーブル
１６          光ピックアップ
１７          後側弾性体
１８          前側弾性体
１９          ガイド片
２０          ガイド枠
２２          カムスライダ
２３          カム機構
３５          ダストカバー
３６          一方のストッパ
３７          他方のストッパ
Ｄ            ディスク
α            弾性変位分
【図１】
0003130310.tif 000003
【図２】
0003130310.tif 000004
【図３】
0003130310.tif 000005
【図４】
0003130310.tif 000006
【図５】
0003130310.tif 000007
【図６】
0003130310.tif 000008
【図７】
0003130310.tif 000009
【図８】
0003130310.tif 000010
【図９】
0003130310.tif 000011
【図１０】
0003130310.tif 000012
【図１１】
0003130310.tif 000013
【図１２】
0003130310.tif 000014
【図１３】
0003130310.tif 000015
【図１４】
0003130310.tif 000016
【図１５】
0003130310.tif 000017